(57)【要約】可動ノーズの回転及び並進動作の制御を行うパネル駆動装置であって、本体装置１の前面に配置された可動ノーズ３と、この可動ノーズ３の下部支点５に回動自在に連結されたスライド部材１１と、このスライド部材１１を本体装置１の前後方向に移動する駆動手段と、スライド部材１１のスライドピン１２と係合するアーム１３のアーム溝１０と、アーム１３のアームピン６と係合する可動ノーズ３のノーズ溝１０を有することとした。
2008072397.tif 000002
【特許請求の範囲】
【請求項１】
可動ノーズの回転及び並進動作の制御を行うパネル駆動装置であって、本体装置の前面に配置された可動ノーズと、この可動ノーズの下部支点に回動自在に連結されたスライド部材と、このスライド部材を前記本体装置の前後方向に移動する駆動手段と、前記スライド部材のスライドピンと係合するアームのアーム溝と、前記アームのアームピンと係合する前記可動ノーズのノーズ溝を有することを特徴とするパネル駆動装置。
【請求項２】
可動ノーズの回転及び並進動作の制御を行うパネル駆動装置であって、本体装置の前面に配置された可動ノーズと、この可動ノーズの下部支点に回動自在に連結されたスライド部材と、このスライド部材を前記本体装置の前後方向に移動する駆動手段と、前記スライド部材のスライドピンと係合するアームの第１アーム溝と、前記可動ノーズの第２ノーズピンと係合する前記アームの第２アーム溝を有することを特徴とするパネル駆動装置。
【請求項３】
可動ノーズの回転及び並進動作の制御を行うパネル駆動装置であって、本体装置の前面に配置された可動ノーズと、この可動ノーズの下部支点に回動自在に連結されたスライド部材と、このスライド部材を前記本体装置の前後方向に移動する駆動手段と、アームの第２アームピンと係合するスライド部材のスライド溝と、前記アームの第１アームピンと係合する前記可動ノーズのノーズ溝を有することを特徴とするパネル駆動装置。
【請求項４】
可動ノーズの回転及び並進動作の制御を行うパネル駆動装置であって、本体装置の前面に配置された可動ノーズと、この可動ノーズの下部支点に回動自在に連結されたスライド部材と、このスライド部材を前記本体装置の前後方向に移動する駆動手段と、アームの第２アームピンと係合する前記スライド部材のスライド溝と、前記可動ノーズの第２ノーズピンと係合する前記アームの第２アーム溝を有することを特徴とするパネル駆動装置。
【発明の詳細な説明】
【技術分野】
【０００１】
この発明は、カーオーディオ等の車載用機器の本体装置の前面に配設される前面パネルを覆う可動ノーズを駆動するパネル駆動装置に関する。
【背景技術】
【０００２】
車載オーディオ機器、例えばカセットテーププレーヤやＣＤプレーヤ等において、本体装置の前面に取り付けられた前面パネルに各種操作キーや表示部あるいはメディア挿入口が配設されていたが、近年の多機能化に伴って表示部が大型化し、また、操作キーの数が増加してきたため、これら表示部、操作キー及びメディア挿入口等の全てを前面パネルの限られたスペース内に配設することが困難になってきた。【０００３】
そこで、この問題に対し、前面パネルにメディア挿入口を配設すると共に、前面パネルを覆う可動ノーズに表示部と各種操作キーを配設し、この可動ノーズをスライド部材に搭載してスライド部材の往復動作に連動して該可動ノーズを回動させることにより、前面パネルに配設したメディア挿入口を可動ノーズで覆う閉状態にしたり、メディア挿入口が露出した開状態にしたりすることができるように構成されている。【０００４】
スライド部材が操作者からみて後退位置に引き込まれている場合、可動ノーズは起立した状態にあり、可動ノーズの背後に位置するメディア挿入口は可動ノーズによって覆い隠されている。スライド部材を後退位置から前進位置へ移動させると、可動ノーズは回動支点を中心に回動して下端側が手前側にせり出して傾いた状態となり、この可動ノーズの回動に伴ってメディア挿入口が露出される。【０００５】
このような可動ノーズ式のパネル駆動装置によれば、閉状態の可動ノーズの全面を表示領域やキー操作領域として活用することができ、メディアの挿入または排出時のみ可動ノーズを回動させメディア挿入口を露出させればよいため、限られたスペース内に比較的大型の表示部や多くの操作キーを配設できるという利点がある。しかし、その反面、可動ノーズが回動する場合に可動ノーズと前面パネルとの干渉が問題となる。【０００６】
この問題に関連して、例えば、スライド部材と共に前後進させることにより、ガイドピンを中心として可動ノーズが回動するように構成されているため、可動ノーズの回動操作時に、可動ノーズの上端背面が本体装置の開口の内方へ入り込む軌跡を描くことに起因して、可動ノーズと本体装置の開口内に設けられた前面パネル等とが当接するのを避けるべく、可動ノーズの上端背面を切欠いたりアール形状にする必要があり、可動ノーズの内部に収納される回路基板や回路素子が大きく制約を受けるという問題を解消するための手段として、可動ノーズと可動ノーズの下部支点に回転自在に連結されたスライド部材と、このスライド部材を本体装置の前後方向に移動する駆動手段と、可動ノーズの上部支点に回転自在に連結されたアームと、このアームとスライド部材との間に介設された動力伝達機構とを備え、スライド部材が後退位置から前進位置へ移動する過程で、アームをスライド部材とほぼ一体的に前進させた後、アームに対してスライド部材を相対的に前進させる技術がある （例えば、特許文献１参照）。【０００７】
【特許文献１】特開２０００−４０８８２号公報
【０００８】
しかし、このように構成されたパネル駆動装置では、アームに設けられた回動支点ピンがスライド部材の溝と動力伝達機構の溝との２つの溝に挟まれることにより位置が決まるため、アームの回動支点ピンのガタが大きくなるとアームがねじられやすく、その結果、可動ノーズの駆動中又は外部からの振動に対し、アーム及び可動ノーズの姿勢が不安定となった場合に、他の部品と干渉すれば異音の原因となるおそれがある。また、アームの回転支点ピンが不動部材に支持されていないため、経時的にみると強度的な影響が懸念される。【０００９】
この発明は上記のような課題を解決するもので、確実に可動ノーズと前面パネルとの干渉を回避するとともに可動ノーズの安定した開閉動作を可能とするパネル駆動装置を提供することを目的とする。
【発明の開示】
【００１０】
この発明は、可動ノーズの回転及び並進動作の制御を行うパネル駆動装置であって、本体装置の前面に配置された可動ノーズと、この可動ノーズの下部支点に回動自在に連結されたスライド部材と、このスライド部材を前記本体装置の前後方向に移動する駆動手段と、前記スライド部材のスライドピンと係合するアームのアーム溝と、前記アームのアームピンと係合する前記可動ノーズのノーズ溝を有する構成とした。
【００１１】
この発明によれば、確実に可動ノーズと前面パネルとの干渉を回避するとともに可動ノーズの安定した開閉動作を可能とするパネル駆動装置を提供することができる。
【図面の簡単な説明】
【００１２】
【図１】可動ノーズが前面パネル内に収納された状態におけるパネル駆動装置及び本体装置の図である。
【図２】可動ノーズが前面パネル内に収納された状態におけるパネル駆動装置の要部を示した分解斜視図である。
【図３】可動ノーズが前面パネル内に収納された状態におけるパネル駆動装置の平面図である。
【図４】可動ノーズが並進した状態を示した図である。
【図５】可動ノーズが回動を完了した状態を示した図である。
【図６】可動ノーズが前面パネル内に収納された状態おけるパネル駆動装置の図である。
【図７】第２アーム溝を拡大して示したアームの部分正面図である。
【図８】可動ノーズが並進した状態を示した図である。
【図９】可動ノーズが回動を完了した状態を示した図である。
【図１０】可動ノーズが前面パネル内に収納された状態におけるパネル駆動装置の図である。
【図１１】可動ノーズが並進した状態を示した図である。
【図１２】可動ノーズが回動を完了した状態を示した図である。
【図１３】可動ノーズが前面パネル内に収納された状態におけるパネル駆動装置の図である。
【図１４】可動ノーズが並進した状態を示した図である。
【図１５】可動ノーズが回動を完了した状態を示した図である。
【発明を実施するための最良の形態】
【００１３】
以下、この発明をより詳細に説明するために、この発明を実施するための最良の形態について、添付の図面に従って説明する。
実施の形態１．
可動ノーズの回転及び並進動作の制御を行うパネル駆動装置であって、本体装置の前面に配置された可動ノーズと、この可動ノーズの下部支点に回動自在に連結されたスライド部材と、このスライド部材を前記本体装置の前後方向に移動する駆動手段と、前記スライド部材のスライドピンと係合するアームのアーム溝と、前記アームのアームピンと係合する前記可動ノーズのノーズ溝を有する。【００１４】
図１乃至図５により実施の形態１のパネル駆動装置を説明する。
図１はパネル駆動装置を側面から見た状態を示し、本体装置１の、前方端部が前面パネル２になっている。この前面パネル２はその前方が外方に開放されたオーバーハング状に形成されていて、この前面パネル２に覆われるようにしてオーバーハング形状の下方空間に扁平な直方体状をした可動ノーズ３が位置し前面パネル２に収納された状態になっている。メディア挿入口４は可動ノーズ３により覆われている。【００１５】
図２は図１における前面パネル２及び本体装置１の主要部を取り外した状態で示した斜視図であり、可動ノーズ３とこれを動作させるための諸部材が示されている。また、図３は図２と同じ状態のもとでの平面図を示している。図１乃至図３は可動ノーズ３が閉じ状態にあり、扁平な面を鉛直方向に立てられた状態となっている場合の部材構成を示している。これらの図を参照して構造を説明する。【００１６】
可動ノーズ３の下部にはノーズピン５が固定されている。可動ノーズ３はノーズピン５によりスライド部材１１に枢着されている。つまり、ノーズピン５は可動ノーズの下部支点をなし、ノーズピン５を介してスライド部材１１に回動自在に連結されている。スライド部材は図３に示したようにコの字状をしたプレートからなり、幅方向上での端部の立ち上げ部４８にはノーズピン５が支持されている。【００１７】
スライド部材１１は本体装置１を組み付けるシャーシ７上に載置されている。スライド部材１１に形成された前後方向に長い長穴４０には、シャーシ７に植設されたピン４１が嵌合していて、スライド部材１１の移動方向を前後方向に規制している。スライド部材１１の前後方向に長い側辺部にはラック４２が形成されている。このラック４２にピニオン４３が噛み合い、ピニオン４３は小歯車４４に噛み合い、小歯車４４と同軸の大歯車４５にはウォーム４６が噛み合い、ウォーム４６は正逆転可能なモータ４７に連結されている。
ピニオン４３、小歯車４４、大歯車４５はシャーシ７に軸支されている。これら、長穴４０、ピン４１、ラック４２、ピニオン４３、小歯車４４、大歯車４５、ウォーム４６、モータ４７等は、スライド部材１１を本体装置１の前後方向に移動させるための駆動手段を構成している。【００１８】
スライド部材１１の幅方向端部の立ち上げ部４８にはスライド部材１１のスライドピン１２が植設されている。スライドピン１２にはアーム溝９が係合している。アーム溝９はアーム１３に形成された円弧状の長溝である。アーム１３の中間部はシャーシ７の立ち上げ部に植設されたべースピン８により回転自在に支持されている。アーム１３においてスライドピン１２と係合した側の反対側の部位には、アームピン６が植設されており、このアームピン６は可動ノーズ３の側部に形成されたノーズ溝１０と係合している。これら、幅方向の片側について説明したノーズピン５、アームピン６、ベースピン８、アーム１３などの構成は、幅方向の反対側にも設けられているので、図３に同じ符号で示す。【００１９】
かかる構成のパネル駆動装置において、スライド部材１１に枢着された可動ノーズ３の回転及び並進動作の制御はスライド部材１１のスライドピン１２と係合しシャーシ７に枢着されたアーム１３のアーム溝９と、アーム１３のアームピン６と係合する可動ノーズ３のノーズ溝１０等で行われる。【００２０】
図１乃至図４を用いて動作を説明する。
シャーシ７に固定されているベースピン８により回転自在に連結されたアーム１３には、スライド部材１１のスライドピン１２と係合するアーム溝９が設けられており、駆動手段で駆動されるスライド部材１１の並進量によりアーム１３の回転角度が決まる。【００２１】
可動ノーズ３にはアーム１３のアームピン６と係合するノーズ溝１０が設けられ、さらに、可動ノーズ３は可動ノーズ３の下部に設けられたノーズピン５を支点として回転自在にスライド部材１１とも連結されている。【００２２】
前記のように構成されたパネル駆動装置においては、可動ノーズ３の姿勢はスライド部材１１の並進位置と、アーム１３の回転角度により決まるが、アーム１３の回転角度はスライド部材１１の並進位置により決まるため、可動ノーズ３の姿勢はスライド部材１１の並進位置のみで決まることになる。【００２３】
通常、図１に示したように、可動ノーズ３は起立状態で前面パネル２内に収納されているが、本体装置１内にメディアを出し入れする際には可動ノーズ３を回動し、メディア挿入口４を露出させる必要がある。その場合、前面パネル２と可動ノーズ３との隙間をできる限り小さくするため、駆動手段を起動させることにより、図４に示したように可動ノーズ３はスライド部材１１と共に矢印Ａで示す前方向に並進移動をする。【００２４】
この場合、アーム１３はベースピン８を支点にスライド部材１１のスライドピン１２により回転するが、アーム１３に設けられたアーム溝９はノーズピン５とアームピン６とが可動ノーズ３とともに並進方向にある一定距離進む問は、同一に移動するよう形成されているため可動ノーズ３は起立状態を保つ。よって、可動ノーズ３の上端部は前面パネル２のオーバーハング部と干渉せずに外方に移動する。【００２５】
さらに、スライド部材１１を並進させると、図５に示したようにアーム１３はベースピン８を支点にして矢印Ｂ方向に回転するが、アームピン６がノーズピン５よりも可動ノーズ並進方向で遅れ、相対的に離れるため可動ノーズ３はノーズピン５を支点にして矢印Ｃ方向に回転する。これにより、メディア挿入口４が露出する。【００２６】
以上のように構成されたパネル駆動装置においては、可動ノーズ３を保持しているアーム１３はシャーシ７に固定されたべ一スピン８により回動自在に連結されているため、回転方向以外にガタが生じにくく、また可動ノーズ３の姿勢も安定する。よって、確実に可動ノーズと前面パネルとの干渉を回避するとともに可動ノーズの安定した開閉動作を可能とするパネル駆動装置となる。【００２７】
実施の形態２．
本実施の形態２は、可動ノーズの回転及び並進動作の制御を行うパネル駆動装置であって、本体装置の前面に配置された可動ノーズと、この可動ノーズの下部支点に回動自在に連結されたスライド部材と、このスライド部材を前記本体装置の前後方向に移動する駆動手段と、前記スライド部材のスライドピンと係合するアームの第１アーム溝と、前記可動ノーズの第２ノーズピンと係合する前記アームの第２アーム溝を有するパネル駆動装置に係る。【００２８】
図６乃至図９により説明する。前記実施の形態１では、可動ノーズ３の姿勢をスライド部材１１に植設したスライドピン１２と係合するアーム１３のアーム溝９と、アーム１３のアームピン６と係合する可動ノーズ３のノーズ溝１０で行っていたが、本実施の形態２では図６に示すようにスライド部材１１に植設したスライドピン１２と係合するアーム１３のアーム溝９と、可動ノーズ３に植設した第２ノーズピン１４と係合するアーム１３の第２アーム溝１５で行うようにしている。その他の構成は実施の形態例１におけると同じであるので、同じ構成部分については同じ符号を付し説明は省略する。【００２９】
さらに詳細に説明すると、スライド部材１１に固定されたスライドピン１２はベースピン８を回転中心とし回動するアーム１３のアーム溝９に係合されており、スライド部材１１の並進量によりアーム１３の回転角度が決まる。【００３０】
可動ノーズ３とスライド部材１１とはノーズピン５により回転自在に係合され、また可動ノーズ３に植設された第２ノーズピン１４はアーム１３に形成された第２アーム溝１５と係合している。第２アーム溝１５は図７に拡大して示すように、途中から上方に伸びる並進用溝１６が付加され全体としてへの字状をしている。【００３１】
通常、図６に示したように、可動ノーズ３は起立状態で前面パネル２内に収納されていて、第２ノーズピン１４はアーム１３に形成された第２アーム溝１５の中間位置にある。
メディア挿入口４を露出させる必要がある場合、駆動手段を起動させることにより、図８に示したように可動ノーズ３はスライド部材１１と共に矢印Ａで示す前方向に並進移動をする。ここで、第２アーム溝１５は可動ノーズ３を一定量起立状態で並進させるために、アーム１３が回動しても第２ノーズピン１４の高さを保ち、且つスライド部材１１と矢印Ａで示す並進方向に同一距離を移動するように並進用溝１６が形成されているのである。【００３２】
この場合、アーム１３はベースピン８を支点にスライド部材１１のスライドピン１２がアーム溝９に干渉することにより回転し、アーム１３に設けられた第２アーム溝１５の並進用溝１６に沿って第２ノーズピン１４が案内され並進用溝１６の終端部に第２ノーズピン１４が当たるまでは可動ノーズ３は起立状態を保つ。よって、図８に示したように可動ノーズ３の上端部は前面パネル２のオーバーハング部と干渉せずに外方に移動する。【００３３】
さらに、スライド部材１１を並進させると、図９に示したように第２ノーズピン１４は並進用溝１６を逆進し、可動ノーズ３はノーズピン５を支点にして時計回りの向きに回転する。これにより、メディア挿入口４が露出する。【００３４】
以上のように構成されたパネル駆動装置においては、可動ノーズ３を保持しているアーム１３はシャーシ７に固定されたべ一スピン８により回動自在に連結されているため、回転方向以外にガタが生じにくく、また可動ノーズ３の姿勢も安定する。よって、確実に可動ノーズと前面パネルとの干渉を回避するとともに可動ノーズの安定した開閉動作を可能とするパネル駆動装置となる。【００３５】
実施の形態３．
本実施の形態３は、可動ノーズの回転及び並進動作の制御を行うパネル駆動装置であって、本体装置の前面に配置された可動ノーズと、この可動ノーズの下部支点に回動自在に連結されたスライド部材と、このスライド部材を前記本体装置の前後方向に移動する駆動手段と、アームの第２アームピンと係合するスライド部材のスライド溝と、前記アームの第１アームピンと係合する前記可動ノーズのノーズ溝を有するパネル駆動装置に係る。【００３６】
図１０乃至図１２により説明する。図１０に示すように、アーム１３に第２アームピン１８を植設し、この第２アームピン１８をスライド部材１１に形成したスライド溝１７に係合させた。また、アーム１３のアームピン６を可動ノーズ３のノーズ溝１０に係合させ、かかる構成で可動ノーズ３の姿勢の制御を行うようにした。【００３７】
さらに詳細に説明すると、ベースピン８を回転中心とし回動するアーム１３に固定された第２アームピン１８は、スライド部材１１のスライド溝１７に係合しており、スライド部材１１の並進量によりアーム１３の回転角度が決まる構成である。可動ノーズ３とスライド部材１１とはノーズピン５により回転自在に係合され、また可動ノーズ３のノーズ溝１０にアーム１３のアームピン６が係合している。スライド溝１７は、可動ノーズ３を起立状態で並進させるためにアーム１３が回動してもアームピン６とノーズピン５を並進方向に同一距離を移動するように形成されている。【００３８】
通常、図１０に示したように、可動ノーズ３は起立状態で前面パネル２内に収納されていて、アームピン６はノーズ溝１０の上部にある。メディア挿入口４を露出させる必要がある場合、駆動手段を起動させることにより、図１１に示したように可動ノーズ３はスライド部材１１と共に矢印Ａで示す前方向に並進移動をする。【００３９】
この場合、スライド部材１１とともにノーズピン５が前進するに伴い、アーム１３はベースピン８を支点にスライド部材１１のスライド溝１７が第２アームピン１８に干渉することにより回転し、アーム１３に設けられたアームピン６が可動ノーズ３のノーズ溝１０に作用して可動ノーズ３が回動し可動ノーズ３は起立状態を保つ。よって、可動ノーズ３の上端部は前面パネル２のオーバーハング部と干渉せずに外方に移動する。【００４０】
さらに、スライド部材１１を並進させると、スライド溝１７により第２アームピン１８
が押し上げられてアーム１３はベースピン８を支点に反時計回りの向きに回転し、これに伴い可動ノーズ３はノーズピン５を支点に時計回りの向きに回転して図１２に示したようにメディア挿入口４が露出するまで傾動する。【００４１】
以上のように構成されたパネル駆動装置においては、可動ノーズ３を保持しているアーム１３はシャーシ７に固定されたべ一スピン８により回動自在に連結されているため、回転方向以外にガタが生じにくく、また可動ノーズ３の姿勢も安定する。よって、確実に可動ノーズと前面パネルとの干渉を回避するとともに可動ノーズの安定した開閉動作を可能とするパネル駆動装置となる。【００４２】
実施の形態４．
本実施の形態４は、可動ノーズの回転及び並進動作の制御を行うパネル駆動装置であって、本体装置の前面に配置された可動ノーズと、この可動ノーズの下部支点に回動自在に連結されたスライド部材と、このスライド部材を前記本体装置の前後方向に移動する駆動手段と、アームの第２アームピンと係合する前記スライド部材のスライド溝と、前記可動ノーズの第２ノーズピンと係合する前記アームの第２アーム溝を有するパネル駆動装置に係る。【００４３】
図１３乃至図１５により説明する。本実施の形態４では、可動ノーズ３の姿勢の制御をアーム１３の第２アームピン１８と係合するスライド部材１１のスライド溝１７と、可動ノーズ３の第２ノーズピン１４と係合するアーム１３の第２アーム溝１５（図７参照）で行うようにした。【００４４】
さらに詳細に説明すると、ベースピン８を回転中心とし回動するアーム１３に固定された第２アームピン１８は、スライド部材１１のスライド溝１７に係合しており、スライド部材１１の並進量によりアーム１３の回転角度が決まる。【００４５】
可動ノーズ３とスライド部材１１とはノーズピン５により回転自在に係合され、また可動ノーズ３の第２ノーズピン１４はアーム１３の第２アーム溝１５と係合している。第２アーム溝１５は可動ノーズ３を定量起立状態で並進させために、アーム１３が回動しても第２ノーズピン１４の高さを保ち、且つスライド部材１１と並進方向に同一距離を移動するように並進用溝１６が形成されている。【００４６】
通常、図１３に示したように、可動ノーズ３は起立状態で前面パネル２内に収納されていて、第２ノーズピン１４はアーム１３に形成された第２アーム溝１５の中間位置にある。
メディア挿入口４を露出させる必要がある場合、駆動手段を起動させることにより、図１３に示したように可動ノーズ３はスライド部材１１と共に矢印Ａで示す前方向に並進移動をする。ここで、第２アーム溝１５は可動ノーズ３を一定量起立状態で並進させるために、アーム１３が回動しても第２ノーズピン１４の高さを保ち、且つスライド部材１１と矢印Ａで示す並進方向に同一距離を移動するように並進用溝１６が形成されているのである。【００４７】
この場合、アーム１３はベースピン８を支点にスライド部材１１のスライド溝１７が第２アームピン１８に干渉することにより回転し、アーム１３に設けられた第２アーム溝１５の並進用溝１６に沿って第２ノーズピン１４が案内され並進用溝１６の終端部に第２ノーズピン１４が当たるまでは可動ノーズ３は起立状態を保つ。よって、図１４に示すように可動ノーズ３の上端部は前面パネル２のオーバーハング部と干渉せずに外方に移動する。【００４８】
さらに、スライド部材１１を並進させると、図１５に示したように第２ノーズピン１４は並進用溝１６を逆進し、可動ノーズ３はノーズピン５を支点にして時計回りの向きに回転する。これにより、メディア挿入口４が露出する。【００４９】
以上のように構成されたパネル駆動装置においては、可動ノーズ３を保持しているアーム１３はシャーシ７に固定されたべ一スピン８により回動自在に連結されているため、回転方向以外にガタが生じにくく、また可動ノーズ３の姿勢も安定する。よって、確実に可動ノーズと前面パネルとの干渉を回避するとともに可動ノーズの安定した開閉動作を可能とするパネル駆動装置となる。
【産業上の利用可能性】
【００５０】
以上のように、この発明に係るパネル駆動装置は、可動ノーズの下部支点に回動自在に連結されたスライド部材と、スライド部材を前後方向に移動する駆動手段と、アーム溝と、ノーズ溝とを有する構成とすることで、確実に可動ノーズと前面パネルとの干渉を回避することのできるパネル駆動装置としたので、カーオーディオ等の車載用機器の本体装置の前面に配設される前面パネルを覆う可動ノーズを駆動するパネル駆動装置などに用いるのに適している。
【図１】
2008072397.tif 000003
【図２】
2008072397.tif 000004
【図３】
2008072397.tif 000005
【図４】
2008072397.tif 000006
【図５】
2008072397.tif 000007
【図６】
2008072397.tif 000008
【図７】
2008072397.tif 000009
【図８】
2008072397.tif 000010
【図９】
2008072397.tif 000011
【図１０】
2008072397.tif 000012
【図１１】
2008072397.tif 000013
【図１２】
2008072397.tif 000014
【図１３】
2008072397.tif 000015
【図１４】
2008072397.tif 000016
【図１５】
2008072397.tif 000017
【国際調査報告】
2008072397.tif 000018
2008072397.tif 000019
2008072397.tif 000020
2008072397.tif 000021